(57)【要約】  照明システム（１）は、投影面（２）に映像を投影する映像投影部（１０）と、投影面（２）を含む領域を撮像領域として撮像する撮像部（２０）と、撮像部（２０）で撮像した撮像画像をもとに撮像領域の少なくとも一部の対象領域のＲＧＢに関する統計量を用いて映像投影部（１０）で投影する映像の色補正を行う色補正部（３１）とを備える。
2017033384.tif 000002
【特許請求の範囲】
【請求項１】
投影面に映像を投影する映像投影部と、
前記投影面を含む領域を撮像領域として撮像する撮像部と、
前記撮像部で撮像した撮像画像をもとに前記撮像領域の少なくとも一部の対象領域のＲＧＢに関する統計量を用いて前記映像投影部で投影する映像の色補正を行う色補正部とを備える、
照明システム。
【請求項２】
前記色補正部は、前記撮像領域のうち前記映像を投影する投影面を除外した領域を前記対象領域として前記映像投影部で投影する映像の色補正を行う、
請求項１記載の照明システム。
【請求項３】
前記色補正部は、前記撮像領域のうち指定した範囲の領域だけを前記対象領域として前記映像投影部で投影する映像の色補正を行う、
請求項１記載の照明システム。
【請求項４】
前記色補正部は、前記撮像領域のうち前記投影面におけるＲＧＢに関する統計量と、前記撮像領域のうち前記投影面以外の領域におけるＲＧＢに関する統計量とを比較して、前記映像投影部で投影する映像の色補正を行う、
請求項１記載の照明システム。
【請求項５】
前記色補正部は、前記撮像領域を複数の小領域に分割し、前記投影面に近い前記小領域から前記投影面に遠い前記小領域の順に重みを持たせて前記対象領域のＲＧＢに関する統計量を算出し、当該統計量を用いて前記映像投影部で投影する映像の色補正を行う、
請求項１記載の照明システム。
【請求項６】
前記色補正部は、前記撮像領域を複数の小領域に分割し、前記複数の小領域の各々における前記ＲＧＢに関する統計量によるクラスタ分析によって得られた最大のクラスタを用いて前記映像投影部で投影する映像の色補正を行う、
請求項１記載の照明システム。
【請求項７】
前記映像投影部の光源とは異なる光源によって照明光を照射する照明部を備え、
前記照明部は、前記色補正に用いる前記ＲＧＢに関する統計量から変換された色相の補色となる照明光を照射する、
請求項１乃至６の何れか１項に記載の照明システム。
【請求項８】
投影する映像の歪を補正する歪補正部と、
投影する映像の輝度を補正する輝度補正部とを備える、
請求項１乃至７の何れか１項に記載の照明システム。
【請求項９】
コンピュータを、請求項１乃至８の何れか１項に記載の照明システムとして機能させるためのプログラム。
【発明の詳細な説明】
【技術分野】
【０００１】
本発明は、照明システム及びこの照明システムに用いられるプログラムに関する。
【背景技術】
【０００２】
ＬＥＤ（ＬＥＤ：Ｌｉｇｈｔ  Ｅｍｉｔｔｉｎｇ  Ｄｉｏｄｅ）及びレーザ（ＬＤ：Ｌａｓｅｒ  Ｄｉｏｄｅ）等の半導体発光素子は、長寿命及び省電力であることから様々な製品の光源として期待されている。【０００３】
近年、プロジェクタの光源がランプから半導体発光素子に置き換わりつつあり、プロジェクタの光源が長寿命化及び省電力化している。これに伴って、プロジェクタを映像投影用に用いるだけではなく照明用に利用することも検討されている。【０００４】
一方、照明装置についてもＬＥＤ等の半導体発光素子が光源として用いられており、照明装置を照明用に用いるだけではなく映像投影用に用いることが検討されている。例えば、特許文献１には、照明機能と映像投影機能とを有する照明装置が開示されている。【０００５】
このようなことから、今後、店舗又は住宅等の照明業界にプロジェクタ等による映像投影技術の利用が拡大すると考えられる。
【先行技術文献】
【特許文献】
【０００６】
【特許文献１】特開２００６−１２７８４５号公報
【発明の概要】
【発明が解決しようとする課題】
【０００７】
一般的に、プロジェクタを会議室等の部屋で使用する場合、投影映像を見やすくするために、天井等に設置された照明装置を消灯させた状況にしてスクリーン等の投影面に映像を投影する。つまり、部屋を暗くした環境下で映像が投影される。【０００８】
一方、店舗又は住宅においてプロジェクタを使用する場合、これまでの会議室等でプロジェクタを使用する場合とは異なり、明るい環境下で映像が投影されると考えられる。例えば、天井等の照明装置が点灯した状況又は太陽光等の自然光で照らされた状況で投影面に映像が投影されると考えられる。【０００９】
しかしながら、明るい環境下で映像が投影されると、投影された映像が見にくいという課題がある。【００１０】
本発明は、このような課題を解決するためになされたものであり、明るい環境下であっても見やすく自然な映像を投影することができる照明システム及びプログラムを提供することを目的とする。
【課題を解決するための手段】
【００１１】
上記目的を達成するために、本発明に係る照明システムの一態様は、投影面に映像を投影する映像投影部と、前記投影面を含む領域を撮像領域として撮像する撮像部と、前記撮像部で撮像した撮像画像をもとに前記撮像領域の少なくとも一部の対象領域のＲＧＢに関する統計量を用いて前記映像投影部で投影する映像の色補正を行う色補正部とを備える、照明システムである。【００１２】
なお、本発明は、コンピュータを上記照明システムとして機能させるためのプログラムとして実現したり、そのプログラムを格納したコンピュータ読み取り可能な記録媒体として実現したりすることもできる。
【発明の効果】
【００１３】
明るい環境下であっても、見やすく自然な映像を投影することができる。
【図面の簡単な説明】
【００１４】
【図１】図１は、実施の形態１に係る照明システムの具体的な適用例を模式的に示す図である。
【図２】図２は、実施の形態１に係る照明システムの概略構成と同照明システムによる撮像画像の一例を示す図である。
【図３】図３は、実施の形態１に係る照明システムの構成を示すブロック図である。
【図４】図４は、実施の形態１の変形例１に係る照明システムによる撮像画像の一例を示す図である。
【図５】図５は、実施の形態１の変形例２に係る照明システムによる撮像画像の一例を示す図である。
【図６】図６は、実施の形態１の変形例３に係る照明システムによる撮像画像の一例を示す図である。
【図７】図７は、実施の形態１の変形例４に係る照明システムによる撮像画像の一例を示す図である。
【図８】図８は、実施の形態１の変形例５に係る照明システムによる撮像画像の一例を示す図である。
【図９】図９は、実施の形態２に係る照明システムの具体的な適用例を模式的に示す図である。
【図１０】図１０は、実施の形態２に係る照明システムの概略構成と同照明システムによる撮像画像の一例を示す図である。
【図１１】図１１は、実施の形態２に係る照明システムの構成を示すブロック図である。
【発明を実施するための形態】
【００１５】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１６】
また、各図は、模式図であり、必ずしも厳密に図示されたものではない。なお、各図において、実質的に同一の構成に対しては同一の符号を付しており、重複する説明は省略又は簡略化する。
【００１７】
（実施の形態１）
実施の形態１に係る照明システム１について、図１〜図３を用いて説明する。図１は、実施の形態１に係る照明システム１の具体的な適用例を模式的に示す図である。図２は、同照明システム１の概略構成と同照明システム１による撮像画像の一例を示す図である。図３は、同照明システム１の構成を示すブロック図である。
【００１８】
図１〜図３に示すように、照明システム１は、映像投影部１０と、撮像部２０と、処理部３０とを備える。
【００１９】
本実施の形態では、照明システム１を店舗又は住宅等の屋内で利用する場合について説明する。図１に示すように、映像投影部１０及び撮像部２０は、例えば、部屋の中に設置される。具体的には、映像投影部１０及び撮像部２０は、例えば部屋の天井に設置される。ただし、映像投影部１０及び撮像部２０の設置箇所は、これに限るものではない。
【００２０】
なお、映像投影部１０と撮像部２０とは異なる位置に設置されているので映像投影部１０の視点と撮像部２０の視点とは異なっているが、映像投影部１０と撮像部２０とは同じ位置に設置されていてもよい。この場合、映像投影部１０と撮像部２０とが１つの装置で構成されて同一視点になっていてもよい。
【００２１】
映像投影部１０は、投影面２に映像を投影する映像投影装置である。本実施の形態において、映像投影部１０は、天井等に設置された照明装置（不図示）が点灯した状況又は窓等から室内に太陽光等の自然光が差し込んで室内が自然光で照らされた状況等の明るい環境下において映像を投影する。つまり、映像投影部１０からの映像は、明るい環境下で投影面２に投影される。
【００２２】
映像投影部１０からの映像が投影される投影面２は、平面及び立体面のいずれであってもよく、あらゆる構造物又は動植物を含む。図１及び図２に示すように、本実施の形態における投影面２は、部屋に設置された机の机面である。投影面２には、例えば、映像投影部１０によってハニカムパターンの映像（照明パターン）が投影されている。なお、投影面２は、机面に限るものではなく、壁面、床面又はスクリーン等であってもよい。
【００２３】
映像投影部１０は、半導体レーザやランプ等の光源、レンズやミラー等の光学系、液晶パネル等の表示素子、及び、投射レンズ等を有する。例えば、投影面２に投影するための映像が処理部３０から映像投影部１０に入力されると、映像投影部１０の投射レンズから投影面２に向かって映像が投射される。なお、本明細書において、映像（画像）とは、静止画像及び動画像のいずれであってもよい。
【００２４】
本実施の形態において、映像投影部１０は、映像を投影する機能を有するだけではなく、投影面２に照明光を照射する機能も有する。つまり、映像投影部１０は、照明光として映像（照明パターン）を投影することができる。
【００２５】
このように、映像投影部１０は、映像光（映像）及び照明光の両方の光を投射する光投射装置である。これにより、映像投影部１０は、映像演出を行うだけではなく、照明演出も行うこともできる。この場合、映像光と照明光とは、時間的にも空間的にも重なるように投射されていてもよいし、異なるタイミングで切り替えて投射されていてもよい。前者の場合、例えば、映像投影部１０からは映像光と照明光とが重畳された映像が投射される。なお、映像投影部１０において、照明光用の光源と映像光用の光源とは同じであってもよいし異なっていてもよい。また、映像投影部１０は、投射する照明光の明るさ又は色成分を変更できるように調光機能及び調色機能を有していてもよい。
【００２６】
撮像部２０は、例えばカメラ等の撮像装置であり、投影面２を含む領域を撮像領域として撮像する。つまり、撮像部２０で撮像された画像（撮像画像）には、投影面２が含まれる。撮像部２０は、映像投影部１０で映像を投影する前に投影面２を含む領域を撮像領域として撮像してもよいし、映像投影部１０で投影された映像を含む領域を撮像領域として撮像してもよい。
【００２７】
撮像部２０は、例えば、ＣＣＤイメージセンサ又はＣＭＯＳイメージセンサ等の撮像素子と、光学系等とを有する。撮像部２０で撮像された撮像画像（画像データ）は処理部３０に送信される。
【００２８】
処理部３０は、各種演算処理を行う機能を有する処理装置である。処理部３０は、色補正部３１と、投影映像出力部３２と、歪補正部３３と、輝度補正部３４とを有する。
【００２９】
また、処理部３０は、映像投影部１０及び撮像部２０に対して信号の送受信を行う機能も有する。つまり、処理部３０は、インターフェース等の通信部を有する。処理部３０と映像投影部１０又は撮像部２０との信号の送受信は、有線及び無線のいずれで行ってもよい。図２に示すように、処理部３０としては、例えばパーソナルコンピュータ（ＰＣ）を用いることができる。この場合、処理部３０と映像投影部１０とを例えばＨＤＭＩ（登録商標）ケーブルで接続し、処理部３０と撮像部２０とを例えばＵＳＢケーブルで接続することができる。
【００３０】
色補正部３１は、撮像部２０で撮像した撮像画像をもとに撮像領域の少なくとも一部の対象領域のＲＧＢに関する統計量を用いて映像投影部１０で投影する映像（投影映像）の色補正を行う。
【００３１】
具体的には、色補正部３１は、撮像部２０で撮像した撮像画像を取得し、取得した撮像画像を分析して撮像画像のＲＧＢに関する統計量を算出する。さらに、色補正部３１は、このＲＧＢに関する統計量を用いて映像投影部１０で投影する映像に対する補正係数を求めて、求めた補正係数に従って映像投影部１０で投影する映像の色補正を行う。一例として、色補正部３１は、映像投影部１０によって投影面２に投影される映像の色が入力映像（本来の映像）に近づくように色補正する。
【００３２】
例えば、色補正部３１は、ＲＧＢに関する統計量として、撮像部２０で撮像した撮像画像の各画素のＲＧＢ成分（ＲＧＢ信号）から撮像画像全体のＲＧＢ平均（ＲＧＢの平均値）を算出し、このＲＧＢ平均をＨＳＶ（又はＨＳＢ）変換することで色相を求め、この色相に合うように投影映像のホワイトバランスを調整して補正係数を求めることができる。具体的には、算出した色相の捕色成分のゲイン（彩度）を上げる。なお、ＲＧＢに関する統計量は、ＲＧＢ平均に限るものではなく、ＲＧＢの中央値又は最頻値等であってもよい。
【００３３】
また、色補正部３１は、映像投影部１０で映像を投影する前に予め撮像部２０で撮像した撮像画像をもとにＲＧＢに関する統計量を算出してもよいし、映像投影部１０で映像を投影した状態で撮像部２０で撮像した撮像画像（つまり投影映像を含む画像）をもとにＲＧＢに関する統計量を算出してもよい。
【００３４】
なお、ＲＧＢとは、光の三原色である、赤（Ｒ：Ｒｅｄ）、緑（Ｇ：Ｇｒｅｅｎ）、青（Ｂ：Ｂｌｕｅ）のことであり、ＨＳＶ（又はＨＳＢ）とは、色の三要素である、色相（Ｈ：Ｈｕｅ）、彩度（Ｓ：Ｓａｔｕｒａｔｉｏｎ）、明度（Ｖ：Ｖａｌｕｅ、Ｂ：Ｂｒｉｇｔｎｅｓｓ）のことである。
【００３５】
投影映像出力部３２は、映像投影部１０に投影させるための映像を映像投影部１０に出力する。投影映像出力部３２は、色補正部３１で色補正された映像又は色補正部３１で色補正されていない映像を出力することができる。なお、処理部３０は、映像投影部１０に出力した映像を再生及び停止する機能を有していてもよい。
【００３６】
歪補正部３３は、投影する映像の歪を補正する。歪補正部３３は、例えば、映像投影部１０から投影する映像の幾何学的な歪（台形歪）を補正する。
【００３７】
輝度補正部３４は、投影する映像の輝度を補正する。輝度補正部３４は、例えば、映像投影部１０から投影する映像の全体又は一部の輝度を補正する。
【００３８】
なお、処理部３０は、記憶部（メモリ）を有していてもよい。記憶部は、処理部３０で処理又は算出したデータを記憶したり、投影映像出力部３２から映像投影部１０に出力する映像（映像コンテンツ）を記憶したりする。また、記憶部は、処理部３０による制御処理を行う際にも用いられ、例えば、色補正部３１等が各種データ処理や演算を行う際の作業領域として随時データを記憶する。また、記憶部には、映像投影部１０及び撮像部２０を制御するためのアプリケーションプログラム等が記憶されていてもよい。
【００３９】
また、処理部３０は、映像投影部１０に投影させるための映像を取得する映像取得部（映像入力部）を有していてもよい。映像取得部は、映像投影部１０に投影させるための映像を入力映像として取得する。入力映像は、処理部３０に着脱可能に取り付けられるＳＤカード等の記録媒体から取得してもよいし、処理部３０に接続されたＨＤＭＩ（登録商標）ケーブル等の通信線を介して外部機器から取得してもよいし、Ｗｉ−Ｆｉ等の無線通信を利用して外部機器から取得してもよい。
【００４０】
以上、本実施の形態に係る照明システム１では、投影面２を含む領域を撮像領域として撮像部２０によって撮像し、色補正部３１によって、撮像部２０で撮像した撮像画像をもとに撮像領域における少なくとも一部の対象領域のＲＧＢに関する統計量を用いて映像投影部１０で投影する映像の色補正を行っている。つまり、照明システム１では、投影面２付近を予め撮像部２０で撮像し、周囲の色及び明るさに基づいて投影映像の補正係数を算出し、求めた補正係数に従って補正した映像を投影している。例えば、本実施の形態では、投影面２の周囲の壁や床、扉についての色及び明るさに基づいて、投影する映像を補正している。
【００４１】
このように、本実施の形態における照明システム１では、映像を投影する空間の色及び明るさを考慮して、より自然に見えるように補正した映像を投影している。これにより、例えば、強調する必要がある部分を強調したり、照明装置等の環境光の本来の目的を失わない範囲で環境光の色及び明るさを制御したりすることができる。したがって、明るい環境下であっても、見やすく自然な映像を投影することができる。
【００４２】
また、本実施の形態において、色補正部３１は、撮像部２０で撮像する撮像領域のうち映像を投影する投影面２を除外した領域を対象領域としてＲＧＢに関する統計量を算出し、この統計量を用いて映像投影部１０で投影する映像の色補正を行ってもよい。
【００４３】
例えば、図４に示すように、撮像部２０で撮像した撮像画像を処理部３０で分析する際、投影面２をマスク処理して撮像画像のＲＧＢに関する統計量を算出して映像投影部１０で投影する映像に対する補正係数を求めて、求めた補正係数に従って投影映像の色補正を行う。つまり、投影面２を除いた撮像画像を分析してＲＧＢに関する統計量を算出する。なお、図４に示す撮像画像では、クロス線のハッチングで示す領域がマスク処理をした領域である。
【００４４】
このように投影面２を除外して撮像画像のＲＧＢに関する統計量を算出することによって、投影面２の影響を受けることなく投影する映像の色補正を行うことができる。これにより、より見やすい映像を投影することができる。なお、撮像画像における投影面２の領域は、撮像画像をもとにユーザが指定してもよいし、映像投影部１０のＯＮ／ＯＦＦによる撮像画像から三次元計測等で算出して特定してもよい。
【００４５】
また、本実施の形態において、色補正部３１は、撮像部２０で撮像する撮像領域のうち指定した範囲（指定範囲）の領域だけを対象領域としてＲＧＢに関する統計量を算出し、この統計量を用いて映像投影部１０で投影する映像の色補正を行ってもよい。
【００４６】
例えば、図５において、斜線のハッチングで示す矩形領域を指定範囲として撮像部２０で撮像した撮像画像を処理部３０で分析する際、撮像画像のうちユーザが指定した範囲の領域のみについてＲＧＢに関する統計量を算出して映像投影部１０で投影する映像に対する補正係数を求めて、求めた補正係数に従って投影映像の色補正を行う。
【００４７】
これにより、指定した範囲を基準とした見やすい映像を投影することができる。なお、図５では、指定範囲を扉の一部としているが、指定範囲は、これに限るものではなく、床又は壁等であってもよい。また、指定範囲は、ユーザが指定する場合に限らず、コンピュータにより自動で選択されてもよいし、予め設定された所定の領域であってもよい。
【００４８】
また、本実施の形態において、色補正部３１は、撮像部２０で撮像する撮像領域のうち投影面２におけるＲＧＢに関する統計量と、この撮像領域のうち投影面２以外の領域におけるＲＧＢに関する統計量とを比較して、映像投影部１０で投影する映像の色補正を行ってもよい。
【００４９】
例えば、図６に示すように、撮像部２０で撮像した撮像画像を処理部３０で分析する際、撮像画像のうち投影面２の領域（右下がり斜線のハッチングで示す領域）におけるＲＧＢに関する第１統計量と、撮像画像のうち投影面２以外の領域（右上がり斜線のハッチングで示す領域）におけるＲＧＢに関する第２統計量とを算出し、算出した第１統計量と第２統計量とを比較して映像投影部１０で投影する映像に対する補正係数を求めて、求めた補正係数に従って投影映像の色補正を行う。
【００５０】
一例として、ＲＧＢに関する統計量として、撮像画像における投影面２の領域と投影面２以外の領域とのそれぞれについてＲＧＢ平均を求める場合について説明する。この場合、算出した投影面２に対応する領域のＲＧＢ平均（Ｒ１，Ｇ１，Ｂ１）をＧ１＝１となるように正規化して（Ｒ１０、１、Ｂ１０）にする。同様に、投影面２以外に対応する領域についても、ＲＧＢ平均（Ｒ２，Ｇ２、Ｂ２）をＧ２＝１となるように正規化して（Ｒ２０，１、Ｂ２０）にする。そして、Ｒ成分に（Ｒ２０／Ｒ１０）を補正係数として乗算し、Ｂ成分に（Ｂ２０／Ｂ１０）を補正係数として乗算して、補正した映像を投影する。
【００５１】
これにより、投影面２の領域と投影面２以外の領域との色の違いの影響を受けずに、見やすい映像を投影することができる。例えば、投影面２の周囲が投影面２よりも黄色い場合に、黄色く補正した映像を投影することでより自然な投影映像を得ることができる。
【００５２】
また、本実施の形態において、色補正部３１は、撮像部２０で撮像する撮像領域を複数の小領域に分割し、複数の小領域の分析に基づいて投影映像の補正係数を求めてもよい。この場合、色補正部３１は、投影面２に近い小領域から投影面２に遠い小領域の順に重みを持たせて対象領域のＲＧＢに関する統計量を算出し、この統計量を用いて映像投影部１０で投影する映像の色補正を行うことができる。
【００５３】
例えば、図７に示すように、撮像部２０で撮像した撮像画像を処理部３０で分析する際、撮像画像をマトリクス状に複数のブロック（小領域）に分割し、投影面２を含む領域（斜線のハッチングで示す領域）のブロックには重み付けを大きくして全ブロックについてＲＧＢ平均（ＲＧＢに関する統計量）を算出して映像投影部１０で投影する映像に対する補正係数を求めて、求めた補正係数に従って投影映像の色補正を行う。
【００５４】
これにより、より周囲の色と合った、見やすい映像を投影することができる。なお、投影面２からの距離に応じて重み付けを持たせるのではなく、明るいブロックと暗いブロックとに分けて重み付けを持たせてもよい。
【００５５】
また、本実施の形態において、色補正部３１は、撮像部２０で撮像する撮像領域を複数の小領域に分割し、各小領域の分析に基づいて投影映像の補正係数を求めてもよい。この場合、色補正部３１は、複数の小領域の各々におけるＲＧＢに関する統計量によるクラスタ分析によって得られた最大のクラスタを用いて映像投影部１０で投影する映像の色補正を行うことができる。
【００５６】
例えば、図８に示すように、撮像部２０で撮像した撮像画像を処理部３０で分析する際、撮像画像をマトリクス状に複数のブロック（小領域）に分割して各ブロックごとにＲＧＢ平均（ＲＧＢに関する統計量）を算出し、クラスタ分析によって似たブロックを集めて最大のクラスタを求める。そして、この最大クラスタを基準にして映像投影部１０で投影する映像に対する補正係数を求めて、求めた補正係数に従って投影映像の色補正を行う。
【００５７】
これにより、撮像画像に壁や床等が含まれていることが分からなくても、各ブロックが緑色に近い又は黄色に近い等は分かるので、より周囲の色と合った、見やすい映像を投影することができる。
【００５８】
また、本実施の形態では、投影する映像の歪を補正する歪補正部３３と、投影する映像の輝度を補正する輝度補正部３４とを備えている。
【００５９】
これにより、映像投影部１０で投影する映像に対して歪の補正及び輝度の補正を行うことができるので、一層見やすい映像を投影することができる。
【００６０】
なお、本実施の形態において、撮像部２０で撮像した撮像画像を複数に分割した小領域（ブロック）の形状は、正方形としたが、これに限るものではない。
【００６１】
（実施の形態２）
次に、実施の形態２に係る照明システム１Ａについて、図９〜図１１を用いて説明する。図９は、実施の形態２に係る照明システム１Ａの具体的な適用例を模式的に示す図である。図１０は、同照明システム１Ａの概略構成と同照明システム１Ａによる撮像画像の一例を示す図である。図１１は、同照明システム１Ａの構成を示すブロック図である。
【００６２】
図９〜図１１に示すように、照明システム１Ａは、映像投影部１０と、撮像部２０と、処理部３０Ａと、照明部４０とを備える。
【００６３】
本実施の形態における照明システム１Ａは、上記実施の形態１における照明システム１に対して、さらに、照明制御部３５及び照明部４０を備える構成となっている。照明制御部３５は、例えば処理部３０Ａが有する。処理部３０Ａは、上記実施の形態１における処理部３０に対して、照明制御部３５を有する構成となっている。
【００６４】
照明制御部３５は、照明部４０を制御する。本実施の形態において、照明制御部３５は、色補正部３１で算出された色相の補色で照明部４０が照明光を出射するように照明部４０を制御する。照明制御部３５は、照明部４０を制御するための制御信号を照明部４０に送信する。
【００６５】
照明部４０は、照明光を照射する照明装置であり、例えば、部屋の天井に設置されたシーリング又はダウンライト等の照明器具である。なお、照明部４０は、部屋の壁面に設置されたスポットライトであってもよい。照明部４０から照射される照明光は、投影面２に照射される。
【００６６】
照明部４０は、ＬＥＤやランプ等の光源を有する。照明部４０は、映像投影部１０の光源とは異なる光源を有する。つまり、照明部４０は、映像投影部１０の光源とは異なる光源によって照明光を照射する。照明部４０の照明光は、例えば白色光であるが、白色光に限るものではない。
【００６７】
本実施の形態において、照明部４０は、赤色光源、緑色光源及び青色光源を有しており、ＲＧＢ制御可能である。つまり、赤色光源、緑色光源及び青色光源は、独立して制御することができる。赤色光源、緑色光源及び青色光源は、ＬＥＤ光源であってもよいし、既存のランプ光源であってもよい。
【００６８】
また、照明部４０は、調光機能及び調色機能を有し、照明光の明るさ及び色成分の少なくも何れか一方を制御することができるように構成されている。例えば、照明部４０は、処理部３０の照明制御部３５からの制御信号に基づいて、照明光の光出力を大きくしたり小さくしたりすることができる。また、照明部４０は、照明制御部３５からの制御信号に基づいて、照明光の赤色成分、緑色成分及び青色成分の少なくとも一つを選択的に強くしたり弱くしたりできる。
【００６９】
このように構成される照明部４０は、照明制御部３５から送信される制御信号をもとに制御される。本実施の形態において、照明部４０は、色補正部３１による色補正に用いるＲＧＢの統計量から変換された色相の補色となる照明光を照射する。
【００７０】
照明システム１Ａでは、例えば、色補正部３１は、実施の形態１と同様に、ＲＧＢに関する統計量として、撮像部２０で撮像した撮像画像の各画素のＲＧＢ成分から撮像画像全体のＲＧＢ平均を算出し、このＲＧＢ平均をＨＳＶ変換することで色相を求める。照明制御部３５は、求めた色相の補色で照明部４０が照射するように照明部４０に制御信号を送信する。これにより、照明部４０は、色補正部３１で求めた色相の補色の照明光を照射する。
【００７１】
以上、本実施の形態に係る照明システム１Ａは、上記実施の形態１に対して、さらに、色補正部３１による色補正に用いるＲＧＢの統計量から変換された色相の補色となる照明光を照射する照明部４０を備える。
【００７２】
これにより、周囲の色を打ち消すことができるので、実施の形態１よりもさらに、より見やすく自然な映像を投影することができる。
【００７３】
（変形例）
以上、本発明に係る照明システムについて、実施の形態に基づいて説明したが、本発明は、上記の実施の形態に限定されるものではない。
【００７４】
例えば、上記実施の形態１、２において、歪補正部３３及び輝度補正部３４は、処理部３０に設けられていたが、これに限るものではない。歪補正部３３及び輝度補正部３４は、映像投影部１０に設けられていてもよい。
【００７５】
また、上記実施の形態１、２において、映像取得部は、処理部３０に設けられていたが、これに限るものではない。映像取得部は、映像投影部１０に直接設けられていて、映像投影部１０に入力映像が直接入力されてもよい。
【００７６】
また、上記実施の形態１、２では、照明システムを部屋等の屋内で利用する場合について説明したが、これに限るものではない。例えば、上記実施の形態１、２における照明システムを、屋外で利用してもよい。
【００７７】
また、上記実施の形態１、２では、照明システムを明るい環境下で利用する場合について説明したが、上記実施の形態１、２における照明システムは、暗い環境下で利用してもよい。
【００７８】
その他、上記の実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００７９】
また、上記の説明において、処理部３０における各構成は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００８０】
また、コンピュータを上記照明システムとして機能させてもよい。この場合、上記処理部３０等、照明システムで用いられる各構成要素の動作として説明した各処理は、コンピュータによって実行することができる。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。一例として、処理部３０はノートＰＣである。
【００８１】
また、上記照明システムは、照明制御方法として実現してもよい。この場合、照明制御方法におけるステップは、コンピュータによって実行することができる。
【００８２】
また、上記の各処理又はステップを実行するためのプログラムは、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明システムにおける方法をコンピュータに実行させるプログラムとして実現したり、そのようなプログラムを記録したコンピュータ読み取り可能な記録媒体として実現したりすることもできる。
【符号の説明】
【００８３】
１、１Ａ  照明システム
２  投影面
１０  映像投影部
２０  撮像部
３１  色補正部
３３  歪補正部
３４  輝度補正部
４０  照明部
【図１】
2017033384.tif 000003
【図２】
2017033384.tif 000004
【図３】
2017033384.tif 000005
【図４】
2017033384.tif 000006
【図５】
2017033384.tif 000007
【図６】
2017033384.tif 000008
【図７】
2017033384.tif 000009
【図８】
2017033384.tif 000010
【図９】
2017033384.tif 000011
【図１０】
2017033384.tif 000012
【図１１】
2017033384.tif 000013
【国際調査報告】
2017033384.tif 000014
2017033384.tif 000015
2017033384.tif 000016
2017033384.tif 000017